(57)【要約】【課題】ヨーロッパ製の高級服地など美感を与える布地をシート状装飾物として利用することに着目し、従来にはみられない装飾性の高い飾り具と、その飾り具を展示するのにふさわしく且つ独創的な装飾加工を施した装飾額を合わせて提供する。【解決手段】飾り具１０は、前面側に配置される透明性を有する表示板１１と、その表示板１１の後側に配置される基盤１３とを備え、表示板１１と基盤１３との間隙に表示対象となるシート状装飾物１２を封入せしめ、シート状装飾物１２は美感を与える布地１２１、蓄光部材１２２から形成されている。装飾額２０の額縁の表面に装飾加工を施して任意の装飾物２２１を形成し、装飾額２０の前面に飾り具１０の基盤１３後部を嵌め込む凹部を形成し、飾り具１０を装飾額２０の前面に着脱自在に取り付ける。【選択図】  図６
0003125649.tif 000002
【実用新案登録請求の範囲】
【請求項１】
前面側に配置される透明性を有する表示板と、その表示板の後側に配置される基盤とを備え、前記表示板と前記基盤との間隙に表示対象となるシート状装飾物を封入せしめ、前記シート状装飾物は美感を与える布地から構成されていることを特徴とする飾り具。
【請求項２】
請求項１に記載の美感を与える布地を任意の大きさ及び形状にカットしたものと、蓄光性を有する装飾部材とを任意に組み合わせて配置したシート状装飾物を形成することにより意匠効果を高めたことを特徴とする飾り具。
【請求項３】
請求項１又は請求項２に記載の前記基盤の後面に装飾額に取り付ける際に使用する係合突起を形成したことを特徴とする飾り具。
【請求項４】
請求項１又は請求項２に記載の前記飾り具を取り付ける装飾額において、前記装飾額の前面に前記飾り具の基盤後部を着脱自在に取り付ける取付手段を備えたことを特徴とする装飾額。
【請求項５】
請求項３に記載の前記飾り具を取り付ける装飾額において、前記装飾額の前面に前記飾り具の基盤後部を嵌め込む凹部を形成し、前記凹部内に前記係合突起に対応した係合孔を形成し、前記凹部内に前記飾り具の基盤後部を着脱自在に取り付けることを特徴とする装飾額。
【請求項６】
請求項４又は請求項５に記載の前記装飾額の前記額縁表面に装飾加工を施すことにより意匠効果を高めたことを特徴とする装飾額。
【請求項７】
請求項４又は請求項５に記載の前記装飾額の前記額縁表面に草花・観葉植物・造花を飾り付ける際に使用する収納ポケットを備えたことを特徴とする装飾額。
【考案の詳細な説明】
【技術分野】
【０００１】
本考案は、ヨーロッパ製の高級服地など美感を与える布地からなるシート状装飾物を封入した飾り具と、その飾り具を展示するための装飾額に関するものである。
【背景技術】
【０００２】
生地などのシート状材料を利用した装飾品及び製造方法に関し、以下のような先行技術文献が開示されている。
【０００３】
特開平１０−５９７５１号公報には、美感があり且つ高級感を有する装飾複層ガラスを提供することを目的とし、少なくとも２枚のガラス板、２枚のガラス板の間の空間部を保持するためのスペーサー、スペーサーの内部に収納された乾燥剤およびシール剤により構成された複層ガラスであって、該複層ガラスは、２枚のガラス板の間の空間部にレース生地が配置されていることを特徴とする「複層ガラス」が開示されている（特許文献１）。
【０００４】
特開平９−３２３５００号公報には、芸術性の高揚、個性の発揮、芸術的価値の半永久的な存続、経済的価値の向上を図ることを目的とし、ガラス、合成樹脂材料からなる透明基板に、布地からなる複数の形象体を、両面接着テープにより貼りつけ、額縁内に前記透明基板を装填すると共に、透明基板の背面に写真を装填することのより形成される「装飾物」が開示されている（特許文献２）。
【０００５】
実用新案登録第３０３１０７２号公報には、装飾性と実用性に優れた合わせガラスを提供することを目的とし、透明もしくは半透明の２枚の板状ガラスは、透明（もしくは半透明）な樹脂層によって相互に接着され、樹脂層にはレース布が封入されている「レース入り合わせガラス」が開示されている（特許文献３）。
【０００６】
実用新案登録第３０２７７１１号公報には、芸術性の高揚、芸術的価値の半永久的な存続、経済的価値の向上を図ることを目的とし、ガラス、合成樹脂材料からなる透明基板に、布地からなる複数の形象体を、両面接着テープにより貼りつけて形成する「装飾物とその組立キット」が開示されている（特許文献４）。
【０００７】
次に、装飾額に関し、以下のような先行技術文献が開示されている。
【０００８】
特開平６−２２８３６号公報には、室内装飾としての高級感を有し、そのままでも装飾額として使用することができる和風の装飾額縁を提供することを目的とし、基板の表面にクッション性シートを介して和風の装飾生地を貼着して中央に窓部を有する装飾枠を形成すると共に、表面を和風の生地で形成し、かつ裏面に支持脚を設けた裏板を設け、該装飾枠の裏面と裏板の表面とを周縁の一部を残して接着して和風装飾額縁を形成し、該和風装飾額縁における接着剤を塗布しない部分で形成されるスリットから絵や写真などを挿入して窓部に顕出させる「和風装飾額縁及びその製造方法」が開示されている（特許文献５）。
【０００９】
特開２０００−３７２７２号公報には、板状体と留め具との間の磁着作用を利用して、紙状体を傷つけることなく簡便に着脱できる額において、実用的な情報を記載した紙片を掲示するのではなく、美術性のある紙状体を展示するのにふさわしい装飾性の高い額を提供することを目的とし、板状体と留め具とから成り、紙状体を展示するための額であって、板状体の広い平面である表て面に、展示対象の紙状体の背面を当接させ、この紙状体の表て面に、単数或いは少数の留め具を当てて、板状体と留め具との間の磁着作用によって紙状体を保持する構成において、留め具の少なくとも表て面を、文様の施された素焼きの焼物で構成する「装飾額」が開示されている（特許文献６）。
【００１０】
特開２０００−３５５０１３号公報には、銀を添加した粘土を焼成して、美術性の高い陶磁器を創作すると共に、その陶磁器を用いて、写真や絵画など美術性のある紙状体を展示するための額を提供することを目的とし、所望の形状に成形した土粘土の表層部に銀を添加し、大気雰囲気において、約１２００〜１３００℃まで昇温して焼成し、銀の還元作用を土粘土の表面に及ぼし、得られた陶磁器を留め具として、板状体の広い平面である表て面に、展示対象の紙状体の背面を当接させ、その紙状体の表て面に、単数或いは少数の留め具を当てて、板状体と留め具との間の磁着作用によって紙状体を保持する構成の額において、留め具を、文様が施され、背面に磁性体を貼着された前記陶磁器とし、板状体を、表て面が塗装された平坦な磁着性金属板で構成する「陶磁器の焼成方法及びそれを用いた装飾額」が開示されている（特許文献７）。
【００１１】
【特許文献１】特開平１０−５９７５１号公報
【特許文献２】特開平９−３２３５００号公報
【特許文献３】実用新案登録第３０３１０７２号公報
【特許文献４】実用新案登録第３０２７７１１号公報
【特許文献５】特開平６−２２８３６号公報
【特許文献６】特開２０００−３７２７２号公報
【特許文献７】特開２０００−３５５０１３号公報
【考案の開示】
【考案が解決しようとする課題】
【００１２】
本考案は、ヨーロッパ製の高級服地など美感を与える布地をシート状装飾物として利用することに着目し、従来にはみられない装飾性の高い飾り具を提供することを目的とする。
さらに、本考案は、上記の装飾性の高い飾り具を展示するのにふさわしく且つ独創的な装飾加工を施した装飾額を合わせて提供することにより芸術的価値の高揚に資することを目的とする。
【課題を解決するための手段】
【００１３】
上記課題を解決するために、請求項１に記載の飾り具の考案は、前面側に配置される透明性を有する表示板と、その表示板の後側に配置される基盤とを備え、前記表示板と前記基盤との間隙に表示対象となるシート状装飾物を封入せしめ、前記シート状装飾物は美感を与える布地から構成されていることを特徴とする。
【００１４】
また、請求項２に記載の飾り具の考案について、請求項１に記載の美感を与える布地を任意の大きさ及び形状にカットしたものと蓄光性を有する装飾部材とを任意に組み合わせて配置したシート状装飾物を形成することにより意匠効果を高めたことを特徴とする。
【００１５】
また、請求項３に記載の飾り具の考案について、請求項１又は請求項２に記載の前記基盤の後面に装飾額に取り付ける際に使用する係合突起を形成したことを特徴とする。
【００１６】
また、請求項４に記載の装飾額の考案について、請求項１又は請求項２に記載の前記飾り具を取り付ける装飾額において、前記装飾額の前面に前記飾り具の基盤後部を着脱自在に取り付ける取付手段を備えたことを特徴とする。
【００１７】
また、請求項５に記載の装飾額の考案について、請求項３に記載の前記飾り具を取り付ける装飾額において、前記装飾額の前面に前記飾り具の基盤後部を嵌め込む凹部を形成し、前記凹部内に前記係合突起に対応した係合孔を形成し、前記凹部内に前記飾り具の基盤後部を着脱自在に取り付けることを特徴とする。
【００１８】
また、請求項６に記載の装飾額の考案について、請求項４又は請求項５に記載の前記装飾額の前記額縁表面に装飾加工を施すことにより意匠効果を高めたことを特徴とする。
【００１９】
また、請求項７に記載の装飾額の考案について、請求項４又は請求項５に記載の前記装飾額の前記額縁表面に草花・観葉植物・造花を飾り付ける際に使用する収納ポケットを備えたことを特徴とする。
【考案の効果】
【００２０】
以上のように、本考案によれば、ヨーロッパ製の高級服地など美感を与える布地からなるシート状装飾物若しくはヨーロッパ製の高級服地など美感を与える布地を任意の大きさ及び形状にカットしたものと蓄光性を有する装飾部材と任意に組み合わせて形成されたシート状装飾物を封入した従来にはみられない装飾性の高い飾り具を提供することができる。
【００２１】
さらに、ヨーロッパ製の高級服地など美感を与える布地からなるシート状装飾物若しくはヨーロッパ製の高級服地など美感を与える布地を任意の大きさ及び形状にカットしたものと蓄光性を有する装飾部材と任意に組み合わせて形成されたシート状装飾物を封入した従来にはみられない装飾性の高い飾り具を、独創的な装飾加工を施した装飾額の前面に着脱自在に取り付けて展示することができる。
【考案を実施するための最良の形態】
【００２２】
以下、本考案の実施の一形態について、図面を参酌しながら説明する。なお、本考案の構成は、その主旨から逸脱しない限り適宜設計変更可能なものである。
【００２３】
図１は、飾り具及び装飾額の各構造の一例を示す分解斜視図である。図２は、  図１に示す飾り具の基盤後部を示す斜視図、図３は図１に示す装飾額の正面図、図４は図１に示す飾り具と装飾額を取り付けた状態を示す側面図である。
【００２４】
飾り具１０は、表示板１１と、シート状装飾物１２と、基盤１３から形成される。表示板１１は、透明性を有する材質（プラスチック、ガラスなど）を所定の大きさ・形状・厚さに成型したものを採用し、この表示板１１は飾り具１０の前面側に配置される。基盤１３は軽量且つ丈夫な材質（発泡スチロールなど）を所定の大きさ・形状・厚さに成型したものを採用し、この基盤１３は表示板１０の後側に配置される。図１及び図２に示すように、基盤１３の厚さはある程度の奥行きを持たせるため、表示板１１の厚さよりも大きく設定されている。なお、表示板１１、基盤１３の形状は、図に示すような四角形に限定されるものではなく、円形、楕円形、三角形その他の多角形、ハート形、星形などの任意のものを適宜採用することができる。
【００２５】
また、基盤１３の後面には、図２に示すように、係合突起１４と留め具１５が形成されている。これらの係合突起１４と留め具１５は、飾り具１０を後述する装飾額２０に着脱自在に取り付ける際に使用するものである（図４参照）。したがって、飾り具１０のみを展示する場合には紐などが引っ掛けられる簡単な係止具（図示省略）を備えておけば足りる。なお、係合突起１４と留め具１５が形成される位置や個数は図２に示すものに限定されない。
【００２６】
表示板１１と基盤１３との間隙には、ヨーロッパ製の高級服地など美感を与える布地から構成されるシート状装飾物１２が封入されている。この布地については、ヨーロッパ製の高級服地が優れたデザイン性の観点からみて好適であるが、これに限定されるものではない。また、シート状のものであれば、例えば、ネクタイ、スカーフ、ハンカチなどを表示板１１と基盤１３との間隙に封入することができる。なお、封入の方法については、シート状装飾物１２が表示板１１と基盤１３の間にぴったりと挟み込んだ状態で保持される方法であれば良い。また、シート状装飾物１２の形状は、図に示すような四角形に限定されるものではなく、表示板１１及び基盤１３の形状に合わせて適宜変更することができる。
【００２７】
さらに、ヨーロッパ製の高級服地など美感を与える布地を任意の大きさ及び形状にカットしたものと、蓄光性を有する装飾部材とを任意に組み合わせて配置し表示板１１と基盤１３との間隙に封入することにより、様々なデザインパターンが考えられ意匠効果が高まる。図５は、シート状装飾物のデザインパターンの例を示す説明図である。図５（ａ）は布地１２１が２分割され組み合わされたデザインパターン、図５（ｂ）は布地１２１が４分割され組み合わされたデザインパターン、図５（ｃ）（ｄ）は布地１２１と蓄光部材１２２がそれぞれ所定の形状にカットされ組み合わされたデザインパターンの各例を示している。
【００２８】
以上のように、本考案によれば、ヨーロッパ製の高級服地など美感を与える布地からなるシート状装飾物を封入した従来にはみられない装飾性の高い飾り具を提供することができる。
【００２９】
次に、飾り具１０を展示するための装飾額２０について説明する。
【００３０】
装飾額２０は、図３に示すように、その前面に飾り具１０の基盤１３後部をぴったりと嵌め込むことができる凹部２１が形成されている。この凹部２１内には、上述した係合突起１４に対応した係合孔２３が形成されている。これにより、凹部２１内に飾り具１０の基盤１３後部を着脱自在に取り付けることができる（図４参照）。なお、本実施例では、係合突起１４と係合孔２３によって飾り具１０を装飾額２０の前面に着脱自在に取り付ける例を説明したが、マグネットや面ファスナーなどの取付手段を利用して飾り具１０を装飾額２０の前面に着脱自在に取り付けることもできる。
【００３１】
装飾額２０の外側の形状は、図に示すような四角形に限定されるものではなく、円形、楕円形、三角形その他の多角形、ハート形、星形などの任意のものを適宜採用することができ、上述した飾り具１０の形状と同種類の形状又は異種類の形状に適宜変更することができる。
【００３２】
図６に示すように、装飾額２０の額縁２２の表面に装飾加工（例えば、ポリマークレイの装飾など）を施すことにより任意の装飾物２２１を形成し意匠効果を高めることができる。
また、装飾額２０の額縁２２に草花・観葉植物・造花を飾り付ける際に使用する収納ポケット（図示省略）を備えても良い。
【００３３】
以上のように、本考案によれば、ヨーロッパ製の高級服地など美感を与える布地からなるシート状装飾物若しくはヨーロッパ製の高級服地など美感を与える布地を任意の大きさ及び形状にカットしたものと蓄光性を有する装飾部材と任意に組み合わせて形成されたシート状装飾物を封入した従来にはみられない装飾性の高い飾り具を、独創的な装飾加工を施した装飾額の前面に着脱自在に取り付けて展示することができる。
【図面の簡単な説明】
【００３４】
【図１】飾り具及び装飾額の各構造の一例を示す分解斜視図である。
【図２】図１に示す飾り具の基盤後部を示す斜視図である。
【図３】図１に示す装飾額の正面図である。
【図４】図１に示す飾り具と装飾額を取り付けた状態を示す側面図である。
【図５】シート状装飾物のデザイン例を示す説明図である。
【図６】本考案に係る飾り具及び装飾額の外観の一例を示す斜視図である。
【符号の説明】
【００３５】
１０  飾り具
１１  表示板
１２  シート状装飾物
１３  基盤
１４  係合突起
１５  留め具
２０  装飾額
２１  凹部
２２  額縁
２３  係合孔
１２１  布地
１２２  蓄光部材
２２１  装飾物
【図１】
0003125649.tif 000003
【図２】
0003125649.tif 000004
【図３】
0003125649.tif 000005
【図４】
0003125649.tif 000006
【図５】
0003125649.tif 000007
【図６】
0003125649.tif 000008